(57)【要約】      （修正有）【課題】従来タイプより小型でありながらも、諸収差が良好に補正された広角レンズであり、Ｆ値が２．６以下となる明るさを持つ５枚構成の撮像レンズを提供する。【解決手段】物体側より順に、正で像側に凸面を向けた第１レンズＬ１と、第２レンズＬ２と、第３レンズＬ３と、正の第４レンズＬ４と、負の第５レンズＬ５とを備え、第２レンズＬ２、および第３レンズＬ３は少なくとも一方の面が非球面形状を有し、第５レンズＬ５の少なくとも一方の面は非球面形状で、光軸との交点以外の位置に変曲点を有する。撮像レンズ１０は、以下の条件式（１）〜（４）を満たす。０．１４＜（ｒ１＋ｒ２）／（ｒ１−ｒ２）＜３…（１）０＜ｆ／ｆ４５＜５…（２）０．０１５＜ｄ４／Ｌ＜０．２５…（３）２ω＞７６°…（４）【選択図】図１
2013246217.tif 000002
【特許請求の範囲】
【請求項１】
撮像素子の光電変換部に被写体像を結像させるための撮像レンズであって、物体側より順に、
正の屈折力を有し像側に凸面を向けた第１レンズと、
少なくとも一方の面に非球面形状を有する第２レンズと、
少なくとも一方の面に非球面形状を有する第３レンズと、
正の屈折力を有する第４レンズと、
光軸近傍において負の屈折力を有する第５レンズと、からなり、
前記第５レンズの少なくとも一方の面は、非球面形状であり、光軸との交点以外の位置に変曲点を有し、
以下の条件式を満足することを特徴とする撮像レンズ。
０．１４＜（ｒ１＋ｒ２）／（ｒ１−ｒ２）＜３    …    （１）
０＜ｆ／ｆ４５＜５    …    （２）
０．０１５＜ｄ４／Ｌ＜０．２５    …    （３）
２ω＞７６°    …    （４）
ただし、
ｒ１：第１レンズ物体側面の曲率半径
ｒ２：第１レンズ像側面の曲率半径
ｆ：撮像レンズ全系の焦点距離
ｆ４５：第４レンズと第５レンズとの合成焦点距離
ｄ４：第２レンズと第３レンズとの光軸上の距離
Ｌ：撮像レンズ全系の最も物体側のレンズ面から像側焦点までの光軸上の距離（平行平板は空気換算長）
ω：最大半画角
【請求項２】
前記第２レンズは負の屈折力を有し、以下の条件式を満足することを特徴とする請求項１に記載の撮像レンズ。
−２＜ｆ／ｆ２＜０    …    （５）
ただし、
ｆ：撮像レンズ全系の焦点距離
ｆ２：第２レンズの焦点距離
【請求項３】
以下の条件式を満足することを特徴とする請求項１又は２に記載の撮像レンズ。
０．５＜ｆ１／ｆ４＜３．０    …    （６）
ただし、
ｆ１：第１レンズの焦点距離
ｆ４：第４レンズの焦点距離
【請求項４】
前記第４レンズは像側に凸面を向けた形状を有することを特徴とする請求項１から３までのいずれか一項に記載の撮像レンズ。
【請求項５】
前記第５レンズは光軸近傍において像側に凹面を向けた形状を有することを特徴とする請求項１から４までのいずれか一項に記載の撮像レンズ。
【請求項６】
前記第２レンズの物体側面より物体側に開口絞りを有することを特徴とする請求項１から５までのいずれか一項に記載の撮像レンズ。
【請求項７】
実質的にパワーを持たないレンズをさらに有する請求項１から６までのいずれか一項に記載の撮像レンズ。
【請求項８】
請求項１から７までのいずれか一項に記載の撮像レンズと、
前記撮像レンズにより撮像面に形成された画像を光電変換する前記撮像素子と、を備えることを特徴とする撮像装置。
【請求項９】
請求項８に記載の撮像装置を備えることを特徴とする携帯端末。
【発明の詳細な説明】
【技術分野】
【０００１】
本発明は、ＣＣＤ型イメージセンサあるいはＣＭＯＳ型イメージセンサ等の撮像素子を用いた、小型で高い解像度が得られる撮影画角の広い撮像レンズ及びこれを用いた撮像装置等に関する。
【背景技術】
【０００２】
近年、ＣＣＤ（Charge Coupled Device）型イメージセンサあるいはＣＭＯＳ（Complementary Metal Oxide Semiconductor）型イメージセンサ等の固体撮像素子を用いた撮像素子の高性能化、小型化に伴い、撮像装置を備えた携帯電話や携帯情報端末が普及してきている。また、これらの撮像装置に搭載される撮像レンズには、さらなる小型化、高性能化への要求が高まっている。このような用途の撮像レンズとしては、３枚あるいは４枚構成のレンズに比べ高性能化が可能であると言うことで、５枚構成の撮像レンズが提案されている。
【０００３】
この５枚構成の撮像レンズとして、物体側より順に正の屈折力を有する第１レンズ、第２レンズ、第３レンズ、正の屈折力を有する第４レンズ、及び負の屈折力を有する第５レンズで構成された撮像レンズが開示されている（例えば特許文献１〜４参照）。
【０００４】
しかしながら、上記特許文献１〜４に記載の撮像レンズは、撮影画角が７５度以下であり、これ以上の広角化を行った場合、諸収差の影響、特にコマ収差の影響が大きくなるので、小型でありながら高解像力得ることができなくなる。
【０００５】
さらに、上記特許文献２〜４に記載の撮像レンズは、Ｆ値が２．８程度であり、画素の高細化が進む携帯端末において、高解像力を得られるＦ値とすることが求められている。
【先行技術文献】
【特許文献】
【０００６】
【特許文献１】特開２０１２−８４９０号公報
【特許文献２】国際公開第２０１１／００４４６７号
【特許文献３】国際公開第２０１１／０２１２７１号
【特許文献４】国際公開第２０１１／０２７６９０号
【発明の概要】
【０００７】
本発明は、上記背景技術に鑑みてなされたものであり、従来タイプより小型でありながらも、諸収差が良好に補正された広角レンズであり、Ｆ値が２．６以下となるような以上の明るさを持つ５枚構成の撮像レンズ及びこれを用いた撮像装置等を提供することを目的とする。
【０００８】
ここで、小型の撮像レンズの尺度であるが、本発明では以下の条件式を満たすレベルの小型化を目指している。この範囲を満たすことで、撮像装置全体の小型軽量化が可能となる。
Ｌ／２Ｙ＜２    …    （７）
ただし、
Ｌ：撮像レンズ全系の最も物体側のレンズ面から像側焦点までの光軸上の距離
２Ｙ：撮像素子の撮像面対角線長（撮像素子の矩形実効画素領域の対角線長）
ここで、像側焦点とは、撮像レンズに光軸と平行な平行光線が入射した場合の像点をいう。
【０００９】
なお、撮像レンズの最も像側の面と像側焦点位置との間に、光学的ローパスフィルタ、赤外線カットフィルタ、撮像素子パッケージのシールガラス等の平行平板が配置される場合には、平行平板部分は空気換算距離としたうえで上記Ｌの値を計算するものとする。
【００１０】
上記条件式（７）の値Ｌ／２Ｙについては、以下の条件式を満たすことがより望ましい。
Ｌ／２Ｙ＜１．５    …    （７）'
さらに望ましくは下式の範囲が良い。
Ｌ／２Ｙ＜１．０    …    （７）"
【００１１】
上記目的を達成するため、本発明に係る撮像レンズは、撮像素子の光電変換部に被写体像を結像させるための撮像レンズであって、物体側より順に、正の屈折力を有し像側に凸面を向けた第１レンズと、少なくとも一方の面に非球面形状を有する第２レンズと、少なくとも一方の面に非球面形状を有する第３レンズと、正の屈折力を有する第４レンズと、光軸近傍において負の屈折力を有する第５レンズと、からなり、前記第５レンズの少なくとも一方の面は、非球面形状であり、光軸との交点以外の位置に変曲点を有し、以下の条件式を満足する。
０．１４＜（ｒ１＋ｒ２）／（ｒ１−ｒ２）＜３    …    （１）
０＜ｆ／ｆ４５＜５    …    （２）
０．０１５＜ｄ４／Ｌ＜０．２５    …    （３）
２ω＞７６°    …    （４）
ただし、
ｒ１：第１レンズ物体側面の曲率半径
ｒ２：第１レンズ像側面の曲率半径
ｆ：撮像レンズ全系の焦点距離
ｆ４５：第４レンズと第５レンズとの合成焦点距離
ｄ４：第２レンズと第３レンズとの光軸上の距離
Ｌ：撮像レンズ全系の最も物体側のレンズ面から像側焦点までの光軸上の距離（平行平板は空気換算長）
ω：最大半画角
【００１２】
上記撮像レンズは、小型で収差の良好に補正された撮像レンズを得るための基本構成として、物体側より順に、（ａ）正の屈折力を有し像側に凸面を向けた第１レンズ、（ｂ）少なくとも一方の面に非球面形状を有する第２レンズ、（ｃ）少なくとも一方の面に非球面形状を有する第３レンズ、（ｄ）正の屈折力を有する第４レンズ、（ｅ）光軸近傍において負の屈折力を有する第５レンズとを備える。ここで、「光軸近傍」とは、レンズ外径に対して例えば１０％以内の中央領域のことをいう。
一般的には、撮像レンズの最も物体側に正の屈折力を配置し、最も像側に負の屈折力を配置する、いわゆるテレフォトタイプのレンズ構成は、撮像レンズ全長の小型化に有利な構成であるが、広角化には不利な構成といえる。一方、撮像レンズの最も物体側に負の屈折力を配置し、最も像側に正の屈折力を配置する、いわゆるレトロフォーカスタイプのレンズ構成は、撮像レンズの広角化に有利な構成であるが、レンズ全長の小型化に不利な構成といえる。本発明は、正屈折力の第１レンズと負屈折力の第５レンズとを配置してテレフォトタイプのレンズ構成で小型化し、さらに、第１レンズの像側面を像側に凸面を向けた形状とすること、より具体的には、物体側面に負又は弱い正の屈折力を配置するとともに像側面にこれらより強い適度な正の屈折力を配置することによって、広角化を実現している。
【００１３】
ここで、第１レンズについて「像側に凸面を向けた形状」とは、レンズ面の最大有効径での面位置が面頂点よりも物体側に位置することである。
また、第４レンズに正の屈折力を配置することで、第５レンズへ入射する周辺光線の入射角度が跳ね上がることを抑えられので、第５レンズのレンズ径を小さくでき、撮像レンズの小径化が可能になる。
さらに最も像側に配置された第５レンズの少なくとも一方の面を非球面とすることで、画面周辺部での諸収差を良好に補正することができる。加えて、光軸との交点以外の位置に変曲点を有する非球面形状とすることで、テレセントリック特性が確保しやすくなる
ここで、「変曲点」とは、有効半径内でのレンズ断面形状の曲線において、非球面頂点の接平面が光軸と垂直な平面となるような非球面上の点のことである。
【００１４】
条件式（１）は、第１レンズの形状を適切に設定するための条件式である。正の第１レンズは、条件式（１）の範囲で、物体側面の曲率半径の絶対値が像側面の曲率半径の絶対値よりも大きな形状、或いは、物体側に凹面を向けた形状になる。具体的には、値（ｒ１＋ｒ２）／（ｒ１−ｒ２）が一定以上の正であることから、像側面が光軸近傍で物体側面よりも正の屈折力が強い両凸レンズ、物体側面が光軸近傍で平面である平凸レンズ、及び光軸近傍で物体側に凹面を向けたメニスカスレンズのいずれかとなる。
条件式（１）の値が上限を下回ることで、像側面の正の屈折力が強くなりすぎて、撮像レンズの主点位置が像側に寄ること抑制できるため、光学全長の短縮化に有利な構成とすることができる。また、条件式（１）の値が１．０より大きくなって物体側に凹面を向けた形状になる場合、条件式（１）の値が上限を下回ることで、レンズ面の最大有効径での面位置が面頂点よりも物体側に位置する程度を抑制できるので、撮像レンズ全長の短縮化ができる。条件式（１）の値が下限を上回ることで、物体側面の曲率半径が小さくなりすぎてレンズ面に入射する光線角度が大きくなることを抑えられるので、球面収差や軸上収差の良好な補正ができ広角化が達成できる。
【００１５】
上記条件式（１）の値（ｒ１＋ｒ２）／（ｒ１−ｒ２）については、以下の条件式を満たすことがより望ましい。
０．２５＜（ｒ１＋ｒ２）／（ｒ１−ｒ２）＜２．５    …    （１）'
値（ｒ１＋ｒ２）／（ｒ１−ｒ２）については、以下の条件式を満たすことがさらに望ましい。
０．４０＜（ｒ１＋ｒ２）／（ｒ１−ｒ２）＜２    …    （１）"
【００１６】
条件式（２）は、第４レンズと第５レンズとの合成の焦点距離を適切に設定して、良好な収差補正と広角化とを実現するための条件式である。本発明の撮像レンズは、条件式（１）を満足することによって第１レンズの物体側面の屈折力が比較的弱い正の屈折力から負の屈折力を有するものとなっているが、さらに、条件式（２）を満足することにより、第４レンズと第５レンズとの合成屈折力は、正の屈折力を有するので、撮像レンズはレトロフォーカスタイプに近い構成になる。像面湾曲や歪曲収差等の軸外諸収差の良好に補正された、広角レンズが達成できる。
条件式（２）の値が上限を下回ることで、第４レンズと第５レンズとの合成の屈折力が強くなりすぎて、撮像レンズがテレフォトタイプよりレトロフォーカスタイプに近くなり過ぎないので、光学系の主点位置が像側に寄ってバックフォーカスが長くなることを抑えられ、全長の短縮化が容易になる。一方、下限を上回ることで、第４レンズと第５レンズとの合成の屈折力は正の屈折力を維持できるので、像面湾曲や歪曲収差等の軸外諸収差の良好な補正が容易になる。
【００１７】
上記条件式（２）の値ｆ／ｆ４５については、以下の条件式を満たすことがより望ましい。
０＜ｆ／ｆ４５＜３    …    （２）'
値ｆ／ｆ４５については、以下の条件式を満たすことがさらに望ましい。
０＜ｆ／ｆ４５＜２    …    （２）"
【００１８】
条件式（３）は、第２レンズと第３レンズとの光軸上の距離を適切に設定して、全長の短縮化と良好な収差補正を実現する条件式である。条件式（３）の値が上限を下回ることで、全長増大やレンズ径大型化を抑えることができる。一方、条件式（３）の値が下限を上回ることで、第２レンズと第３レンズとを適度に離して配置できるので、通過する軸外光束の光線高の差を持たせることができ、コマ収差の補正が容易になる。
【００１９】
上記条件式（３）の値ｄ４／Ｌについては、以下の条件式を満たすことがより望ましい。
０．０２５＜ｄ４／Ｌ＜０．１５    …    （３）'
値ｄ４／Ｌについては、以下の条件式を満たすことがさらに望ましい。
０．０３＜ｄ４／Ｌ＜０．１０    …    （３）"
【００２０】
条件式（４）については、この条件式（４）の範囲を満足することで、撮像レンズを広角化することができる。
【００２１】
上記条件式（４）の値２ωについては、以下の条件式を満たすことがより望ましい。
２ω＞７７°    …    （４）'
【００２２】
本発明の具体的な側面又は観点では、上記撮像レンズにおいて、第２レンズは負の屈折力を有し、以下の条件式を満足する。
−２＜ｆ／ｆ２＜０    …    （５）
ただし、
ｆ：撮像レンズ全系の焦点距離
ｆ２：第２レンズの焦点距離
【００２３】
第３レンズは、負の屈折力を有することにより、撮像レンズ全系において負の屈折力を比較的物体側に配置できるため、撮像レンズの広角化に有利になる。
【００２４】
条件式（５）は、第２レンズの焦点距離を適切に設定して、広角化と高性能化達成するための条件式である。条件式（５）の値が上限を下回ることで、第２レンズの負の屈折力が弱くなりすぎるのを防ぎ、負の屈折力を適度に維持することができ、色収差を良好に補正することが可能となる。一方、条件式（５）の値下限を上回ることで、第２レンズの負の屈折力が強くなりすぎて、撮像レンズの主点位置が像側に配意されるのを防ぐことができ、良好なテレセントリック特性を得ることができる。さらに、第２レンズで発生するコマ収差や歪曲収差を小さく抑えることができ、高性能化が図れる。
【００２５】
上記条件式（５）の値ｆ／ｆ２については、以下の条件式を満たすことがより望ましい。
−１．７＜ｆ／ｆ２＜０    …    （５）'
値ｆ／ｆ２については、以下の条件式を満たすことがさらに望ましい。
−１．５＜ｆ／ｆ２＜０    …    （５）"
【００２６】
本発明の別の側面では、以下の条件を満足する。
０．５＜ｆ１／ｆ４＜３．０    …    （６）
ただし、
ｆ１：第１レンズの焦点距離
ｆ４：第４レンズの焦点距離
【００２７】
条件式（６）は、撮像レンズ全系の正の屈折力を分担する第１レンズの焦点距離と第４レンズの焦点距離との比率を適切に設定して、全長の短縮化と良好な収差補正を実現する条件式である。条件式（６）の値が上限を下回ることで、第１レンズの焦点距離が長くなり第４レンズの焦点距離が短くなるのを抑えられるので、光学系の主点が物体側に配置されバックフォーカスが長くなることを抑えられるので、レンズ全長の短縮ができる。また、像面湾曲や歪曲収差等の軸外諸収差の良好な補正が可能になる。一方、条件式（６）の値が下限を上回ることで、第１レンズの焦点距離が短くなり第４レンズの焦点距離が長くなるのを抑えられるので、第１レンズで発生する、高次の球面収差やコマ収差を小さく抑え、第４レンズの正の屈折力を適度に維持することができ、結果として射出瞳位置を撮像素子から物体側へ遠ざけることができるため、良好なテレセントリック特性を確保することができる。
【００２８】
上記条件式（６）の値ｆ１／ｆ４については、以下の条件式を満たすことがより望ましい。
０．５５＜ｆ１／ｆ４＜２．５    …    （６）''
値ｆ１／ｆ４については、以下の条件式を満たすことがさらに望ましい。
０．６０＜ｆ１／ｆ４＜２．０    …    （６）"
【００２９】
本発明のさらに別の側面では、第４レンズが像側に凸面を向けた形状を有する。ここで、「像側に凸面を向けた形状」とは、レンズ面の最大有効径での面位置が面頂点よりも物体側に位置することである。
【００３０】
第４レンズを像側に凸面を向けた形状にすることで、第３レンズを射出する軸外光束の発散作用を抑えられるので、良好なテレセントリック特性を確保しやすくなる。
さらに、第４レンズは、像側に凸面を向けたメニスカス形状にすることが望ましい。第４レンズをメニスカス形状にすることで、物体側面は凹面になり、撮像素子周辺部へ向かう光線の物体側面への入射角を小さくできるので、コマ収差、歪曲収差の発生を抑えることができる。
【００３１】
本発明のさらに別の側面では、第５レンズが光軸近傍において像側に凹面を向けた形状を有する。
【００３２】
このように、第５レンズの像側面を光軸近傍において像側に凹面を向けた形状にすることで、第５レンズ像側面の発散作用を有する負の屈折力を強く設定できるので、光学全長に対してバックフォーカスを適度に短く設定することができ、結果、光学全長の短縮化を達成できる。
【００３３】
本発明のさらに別の側面では、第２レンズの物体側面より物体側に開口絞りを有する。
【００３４】
このように、開口絞りを第２レンズの物体側面より物体側に配置することによって、射出瞳を像面から離すことができるため、撮像素子の撮像面周辺部に結像する光束の主光線入射角度を小さく抑えることが可能となる。
【００３５】
本発明のさらに別の側面では、実質的にパワーを持たないレンズをさらに有する。
【００３６】
本発明に係る撮像装置は、上述の撮像レンズと、当該撮像レンズにより撮像面に形成された画像を光電変換する撮像素子を備える。本発明の撮像レンズを用いることで、小型でありながらも、諸収差が良好に補正され広角でＦ値が２．６以下の明るさを持つレンズによって高画質の画像を撮影できる撮像装置を得ることができる。
【００３７】
本発明に係る携帯端末は、上述の撮像装置を備える。つまり、本発明に係る携帯端末は、上述のように高画質の撮影画像が得られる撮像装置を備える。
【図面の簡単な説明】
【００３８】
【図１】本発明の一実施形態の撮像レンズを備える撮像装置を説明する図である。
【図２】図１の撮像装置を備える携帯端末を説明するブロック図である。
【図３】（Ａ）及び（Ｂ）は、携帯端末の表面側及び裏面側の斜視図である。
【図４】実施例１の撮像レンズの断面図である。
【図５】（Ａ）〜（Ｅ）は、実施例１の撮像レンズの収差図である。
【図６】実施例２の撮像レンズの断面図である。
【図７】（Ａ）〜（Ｅ）は、実施例２の撮像レンズの収差図である。
【図８】実施例３の撮像レンズの断面図である。
【図９】（Ａ）〜（Ｅ）は、実施例３の撮像レンズの収差図である。
【図１０】実施例４の撮像レンズの断面図である。
【図１１】（Ａ）〜（Ｅ）は、実施例４の撮像レンズの収差図である。
【図１２】実施例５の撮像レンズの断面図である。
【図１３】（Ａ）〜（Ｅ）は、実施例５の撮像レンズの収差図である。
【図１４】実施例６の撮像レンズの断面図である。
【図１５】（Ａ）〜（Ｅ）は、実施例６の撮像レンズの収差図である。
【図１６】実施例７の撮像レンズの断面図である。
【図１７】（Ａ）〜（Ｅ）は、実施例７の撮像レンズの収差図である。
【図１８】実施例８の撮像レンズの断面図である。
【図１９】（Ａ）〜（Ｅ）は、実施例８の撮像レンズの収差図である。
【図２０】実施例９の撮像レンズの断面図である。
【図２１】（Ａ）〜（Ｅ）は、実施例９の撮像レンズの収差図である。
【図２２】実施例１０の撮像レンズの断面図である。
【図２３】（Ａ）〜（Ｅ）は、実施例１０の撮像レンズの収差図である。
【図２４】実施例１１の撮像レンズの断面図である。
【図２５】（Ａ）〜（Ｅ）は、実施例１１の撮像レンズの収差図である。
【図２６】実施例１２の撮像レンズの断面図である。
【図２７】（Ａ）〜（Ｅ）は、実施例１２の撮像レンズの収差図である。
【図２８】実施例１３の撮像レンズの断面図である。
【図２９】（Ａ）〜（Ｅ）は、実施例１３の撮像レンズの収差図である。
【発明を実施するための形態】
【００３９】
以下、図１等を参照して、本発明に係る撮像レンズ、撮像装置等の一実施形態について説明する。なお、図１で例示した撮像レンズ１０は、後述する実施例１の撮像レンズ１０と同一の構成となっている。
【００４０】
図１は、本発明の一実施形態である撮像レンズを備える撮像装置の一例であるカメラモジュールを説明する断面図である。
【００４１】
カメラモジュール（撮像装置）５０は、被写体像を形成する撮像レンズ１０と、撮像レンズ１０によって形成された被写体像を光電変換する撮像素子５１と、この撮像素子５１を背後から保持するとともに配線等を有する配線基板５２と、撮像レンズ１０等を保持するとともに物体側からの光束を入射させる開口部ＯＰを有する鏡筒部５４とを備える。撮像レンズ１０は、被写体像を撮像素子５１の撮像面Ｉに結像させる機能を有する。
【００４２】
撮像レンズ１０は、詳細は後述するが、開口絞りＳＴと、第１レンズＬ１と、第２レンズＬ２と、第３レンズＬ３と、第４レンズＬ４と、第５レンズＬ５とを備える。
【００４３】
撮像レンズ１０は、小型であり、その尺度して、以下の式（７）を満たすレベルの小型化を目指している。
Ｌ／２Ｙ＜２．００    …    （７）
ただし、Ｌは、撮像レンズ１０全系の最も物体側のレンズ面（図１の場合、物体側面Ｓ１から像側焦点までの光軸ＯＡ上の距離であり、２Ｙは、撮像素子５１の撮像面対角線長（撮像素子５１の矩形実効画素領域の対角線長）である。ここで、像側焦点とは、撮像レンズ１０に光軸ＯＡと平行な平行光線が入射した場合の像点をいう。この範囲を満たすことで、カメラモジュール５０全体の小型軽量化が可能となる。
【００４４】
なお、撮像レンズ１０の最も像側のレンズ面（図１の場合、像側面Ｓ１）と像側焦点位置との間に平行平板Ｆが配置される場合、平行平板Ｆの厚みを空気換算距離とした上で、上記Ｌの値を計算するものとする。
【００４５】
撮像素子５１は、固体撮像素子からなるセンサーチップである。撮像素子５１の光電変換部５１ａは、ＣＣＤ（Charge Coupled Devices）やＣＭＯＳ（Complementary Metal Oxide Semiconductor）からなり、入射光をＲＧＢ毎に光電変換し、そのアナログ信号を出力する。受光部としての光電変換部５１ａの表面は、撮像面Ｉとなっている。
【００４６】
配線基板５２は、撮像素子５１を他の部材（例えば鏡筒部５４）に対してアライメントして固定する役割を有する。配線基板５２は、外部回路から撮像素子５１を駆動するための電圧や信号の供給を受けたり、また、光電変換された信号を上記外部回路へ出力したりすることを可能としている。
【００４７】
撮像素子５１の撮像レンズ１０側には、不図示のホルダー部材によって、光学的ローパスフィルタ、ＩＲカットフィルタ等からなる平行平板Ｆが撮像素子５１等を覆うように配置・固定されている。
【００４８】
鏡筒部５４は、撮像レンズ１０を収納し保持している。鏡筒部５４は、撮像レンズ１０を構成する第１レンズＬ１から第５レンズＬ５までのレンズのうちいずれか１つ以上のレンズを光軸ＯＡに沿って移動させることにより、撮像レンズ１０の合焦の動作を可能にするための駆動機構５５ａを有している。駆動機構５５ａは、例えばボイスコイルモーターと、ガイドとを備える。なお、駆動機構５５ａは、ステッピングモーターと、タンジェントスクリュー型の動力伝達部材と、スライドガイドとで構成することができる。なお、駆動機構５５ａを有さず、撮像レンズ１０を固定焦点として用いるものであってもよい。
【００４９】
次に、図２、３（Ａ）、及び３（Ｂ）を参照して、図１に例示されるカメラモジュール５０を搭載したタブレットＰＣ（Tablet PC）、スマートフォン、携帯電話機その他の携帯端末３００の一例について説明する。
【００５０】
携帯端末３００は、例えばスマートフォン型の携帯電話であり、カメラモジュール５０を有する撮像部１００と、各部を統括的に制御するとともに各処理に応じたプログラムを実行する制御部（ＣＰＵ：Central Processing Unit）３０１と、通信に関連するデータ、撮像した映像等を表示するとともにユーザーの操作を受け付けるタッチパネル等で構成された表示操作部３２０と、電源スイッチ等を含む操作部３３０と、アンテナ３４１を介して外部サーバー等との間の各種情報通信を実現するための無線通信部３４０と、携帯端末３００のシステムプログラムや各種処理プログラム及び端末ＩＤ（identification）等の必要な諸データを記憶している記憶部（ＲＯＭ：Read Only Memory）３６０と、制御部３０１によって実行される各種処理プログラムやデータ、処理データ、若しくは撮像部１００による撮像データ等を一時的に格納する作業領域として用いられる一時記憶部（ＲＡＭ：Random Access Memory）３７０とを備えている。
【００５１】
撮像部１００は、既に説明したカメラモジュール５０のほかに、制御部１０３、光学系駆動部１０５、撮像素子駆動部１０７、画像メモリー１０８等を備える。
【００５２】
制御部１０３は、撮像部１００の各部を制御する。制御部１０３は、ＣＰＵ、ＲＡＭ、ＲＯＭ等を含み、ＲＯＭから読み出されてＲＡＭに展開された各種プログラムとＣＰＵとの協働によって各種処理を実行する。なお、制御部３０１は、撮像部１００の制御部１０３と通信可能に接続されており、制御信号や画像データの授受が可能になっている。
【００５３】
光学系駆動部１０５は、制御部１０３の制御により合焦、露出等を行う際に、撮像レンズ１０の駆動機構５５ａを動作させて撮像レンズ１０の状態を制御する。光学系駆動部１０５は、駆動機構５５ａを動作させて撮像レンズ１０中の特定のレンズを光軸ＯＡに沿って適宜移動させることにより、撮像レンズ１０に合焦動作を行わせる。
【００５４】
撮像素子駆動部１０７は、制御部１０３の制御により露出等を行う際に、撮像素子５１の動作を制御する。具体的には、撮像素子駆動部１０７は、タイミング信号に基づいて撮像素子５１を走査駆動させて制御する。また、撮像素子駆動部１０７は、撮像素子５１から出力された光電変換信号としてのアナログ信号をデジタルデータに変換した後、画像データを生成する。さらに、撮像素子駆動部１０７は、画像データに対して、歪み補正、色補正、圧縮等の各種画像処理を施すことができる。
【００５５】
画像メモリー１０８は、画像データを撮像素子駆動部１０７から受け取って、読み出し及び書き込み可能な画像データとして記憶する。
【００５６】
ここで、上記撮像部１００を含む携帯端末３００の撮影動作の一例を説明する。携帯端末３００をカメラとして動作させるカメラモードに設定されると、被写体のモニタリング（スルー画像表示）と、画像撮影実行とが行われる。モニタリングにおいては、撮像レンズ１０を介して得られた被写体の像が、撮像素子５１の撮像面Ｉ（図１参照）に結像される。撮像素子５１は、撮像素子駆動部１０７によって走査駆動され、一定周期毎に結像した光像に対応する光電変換出力としてのアナログ信号を１画面分出力する。
【００５７】
このアナログ信号は、撮像素子駆動部１０７においてＲＧＢの各原色成分毎に適宜ゲイン調整された後に、デジタルデータに変換される。そのデジタルデータは、画素補間処理及びＹ補正処理を含むカラープロセス処理が行われて、デジタル値の輝度信号Ｙ及び色差信号Ｃｂ，Ｃｒ（画像データ）が生成されて画像メモリー１０８に格納される。格納されたデジタルデータは、画像メモリー１０８から定期的に読み出されてそのビデオ信号が生成されて、制御部１０３及び制御部３０１を介して、表示操作部３２０に出力される。
【００５８】
この表示操作部３２０の全部又は一部は、モニタリングにおいては電子ファインダーとして機能し、撮像画像をリアルタイムに表示することとなる。この状態で、随時、ユーザーが表示操作部３２０を介して行う操作入力に基づいて、光学系駆動部１０５等の駆動により撮像レンズ１０の合焦、露出等が設定される。
【００５９】
このようなモニタリング状態において、ユーザーが表示操作部３２０を適宜操作することにより、静止画像あるいは動画が撮影される。表示操作部３２０の操作内容に応じて、画像メモリー１０８に格納された１コマの画像データが読み出されて、撮像素子駆動部１０７により圧縮される。その圧縮された画像データは、制御部１０３及び制御部３０１を介して、例えばＲＡＭ３７０等に記録される。
【００６０】
カメラモジュール（撮像装置）５０は、図２に示すようなスマートフォン型の携帯電話に内蔵されるものに限らず、旧来型の携帯電話、ＰＨＳ（Personal Handyphone System）等に内蔵されるものであってもよく、タブレットＰＣ、ＰＤＡ（Personal Digital Assistant）、モバイルパソコン、デジタルスチルカメラ、ビデオカメラ等の携帯端末に内蔵されるであってもよい。
【００６１】
以下、図１に戻って、撮像レンズ１０は、撮像素子５１の撮像面Ｉに被写体像を結像させるものである。撮像レンズ１０は、物体側より順に、正の屈折力を有し像側に凸面を向けた第１レンズＬ１と、物体側面Ｓ３及び像側面Ｓ４のうち少なくとも一方の面に非球面形状を有する第２レンズＬ２と、物体側面Ｓ５及び像側面Ｓ６のうち少なくとも一方の面に非球面形状を有する第３レンズＬ３と、正の屈折力を有する第４レンズＬ４と、光軸ＡＸ近傍において負の屈折力を有し、少なくとも一方の面は非球面形状であり、光軸との交点以外の位置に変曲点を有する第５レンズＬ５とを備える。この撮像レンズ１０では、物体側に正屈折力の第１レンズＬ１と、像側に負屈折力の第５レンズＬ５とを配置するテレフォトタイプのレンズ構成によって小型化を実現し、さらに、第１レンズＬ１の像側面Ｓ２を像側に凸面を向けた形状とすること、より具体的には物体側面に負又は弱い正の屈折力を配置するとともに像側面にこれらより大きな適度な正の屈折力を配置することによって、広角化を実現している。なお、第１レンズＬ１は、物体側面Ｓ１及び像側面Ｓ２を有し、第３レンズＬ３は、物体側面Ｓ５及び像側面Ｓ６を有し、第４レンズＬ４は、物体側面Ｓ７及び像側面Ｓ８を有し、第５レンズＬ５は、物体側面Ｓ９及び像側面Ｓ１０を有する。
【００６２】
以上の撮像レンズ１０は、上記の条件式（１）〜（４）を満たす。また、条件式（１）〜（４）のほかに、上記の条件式（５）〜（７）等を満足することが好ましい。なお、条件式（１）〜（７）は、それぞれ単独であっても、それぞれ上述の効果を有するものである。
【００６３】
さらに、第４レンズＬ４は像側に凸面を向けた形状を有することが好ましい。また、第５レンズＬ５の像側面を光軸近傍において像側に凹面を向けた形状を有することが好ましい。また、開口絞りＳＴは、第２レンズＬ２の物体側面より物体側に配置されていることが好ましい。
【００６４】
〔実施例〕
以下、本発明の撮像レンズの実施例を示す。各実施例に使用する記号は下記の通りである。
ｆ      ：撮像レンズ全系の焦点距離
ｆＢ    ：バックフォーカス
Ｆ      ：Ｆナンバー
２Ｙ    ：撮像素子の撮像面対角線長
２ω    ：最大画角
ＥＮＴＰ：入射瞳位置（第１面から入射瞳位置までの距離）
ＥＸＴＰ：射出瞳位置（撮像面から射出瞳位置までの距離）
Ｈ１    ：前側主点位置（第１面から前側主点位置までの距離）
Ｈ２    ：後側主点位置（最終面から後側主点位置までの距離）
Ｒ      ：曲率半径
Ｄ      ：軸上面間隔
Ｎｄ    ：レンズ材料のｄ線に対する屈折率
νｄ    ：レンズ材料のアッベ数
【００６５】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
〔数１〕
2013246217.tif 000003
ただし、
Ａｉ：ｉ次の非球面係数
Ｒ  ：曲率半径
Ｋ  ：円錐定数
【００６６】
以下、本発明の撮像レンズの具体的な実施例１〜１３について説明する。
〔実施例１〕
実施例１の全体諸元を以下に示す。
f=3.53mm
fB=0.2mm
F=2.4
2Y=6.4mm
2ω=83°
ENTP=0mm
EXTP=-4.09mm
H1=0.63mm
H2=-3.32mm
【００６７】
実施例１のレンズデータを表１に示す。
〔表１〕
面番号      R(mm)      D(mm)    Nd        νd    有効半径(mm)
1(絞り)    ∞         0.13                          0.74
2*      -173.611      0.44    1.54470    56.2       0.75
3*        -2.459      0.20                          0.87
4*         5.226      0.33    1.63470    23.9       1.12
5*         2.013      0.25                          1.28
6*         4.886      0.56    1.54470    56.2       1.37
7*        -9.372      0.70                          1.43
8*        -2.238      0.72    1.54470    56.2       1.64
9*        -0.979      0.11                          1.70
10*         2.176      0.58    1.58300    30.0       1.95
11*         0.837      1.00                          2.63
12          ∞         0.40    1.51630    64.1       3.20
13          ∞                                       3.20
なお、これ以降（表のレンズデータを含む）において、１０のべき乗数（例えば２．５×１０−０２）をＥ（例えば２．５Ｅ−０２）を用いて表すものとする。
【００６８】
実施例１の撮像レンズのレンズ面の非球面係数を以下の表２に示す。
〔表２〕
第2面
K=0.50000E+02, A4=-0.85698E-01, A6=-0.47546E-01, A8=0.15420E-01, 
A10=-0.31701E-01, A12=-0.10722E-01, A14=0.11143E-01
第3面
K=0.41340E+01, A4=-0.15090E-01, A6=-0.17535E-01, A8=0.27495E-01, 
A10=-0.12043E-01, A12=-0.25557E-01, A14=0.33138E-01
第4面
K=0.24147E+01, A4=-0.76060E-01, A6=0.65894E-01, A8=-0.44753E-01, 
A10=-0.75493E-02, A12=0.24000E-01, A14=-0.85563E-02
第5面
K=-0.75788E+01, A4=-0.26495E-01, A6=0.36623E-01, A8=-0.31414E-01, 
A10=0.20232E-02, A12=0.71893E-02, A14=-0.24652E-02
第6面
K=-0.40784E+02, A4=-0.28247E-01, A6=0.23447E-02, A8=-0.11544E-02, 
A10=0.72059E-02, A12=-0.16917E-02, A14=-0.10603E-03
第7面
K=0.30000E+02, A4=-0.40519E-01, A6=0.76128E-02, A8=-0.33045E-02, 
A10=-0.22693E-03, A12=0.32880E-02, A14=-0.74785E-03
第8面
K=-0.32277E+00, A4=0.31670E-01, A6=-0.74936E-02, A8=0.55910E-02, 
A10=0.91635E-03, A12=-0.68113E-03, A14=0.66054E-04
第9面
K=-0.32711E+01, A4=-0.65263E-01, A6=0.26708E-01, A8=-0.52199E-02, 
A10=0.11075E-02, A12=0.81485E-04, A14=-0.31234E-04
第10面
K=-0.46789E+01, A4=-0.56371E-01, A6=0.64714E-02, A8=-0.81478E-03, 
A10=-0.39497E-03, A12=0.73049E-04, A14=-0.96109E-06
第11面
K=-0.37808E+01, A4=-0.34138E-01, A6=0.72485E-02, A8=-0.15761E-02, 
A10=0.20737E-03, A12=-0.14988E-04, A14=0.44854E-06
【００６９】
実施例１の単レンズデータを以下の表３に示す。
〔表３〕
レンズ      始面      焦点距離(mm)
1           2           4.575
2           4          -5.370
3           6           5.980
4           8           2.658
5          10          -2.778
【００７０】
図４は実施例１の撮像レンズ１１０（１０）の断面図である。撮像レンズ１１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において像側に凸で正メニスカスであって両面が非球面のレンズ（以下、両非球面レンズという）である。第２レンズＬ２は、光軸ＯＡ近傍において物体側に凸で負メニスカスの両非球面レンズである。第３レンズＬ３は、光軸ＯＡ近傍において両凸で正の両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【００７１】
図５（Ａ）〜５（Ｃ）は、実施例１の撮像レンズ１１０の球面収差、非点収差、及び歪曲収差を示している。図５（Ｄ）及び５（Ｅ）は、実施例１の撮像レンズ１１０のメリジオナルコマ収差を示している。なお、上記収差図及び以後の収差図において、球面収差及びメリジオナルコマ収差では、実線がｄ線を表し、点線がｇ線を表すものとし、非点収差図では、実線がサジタル像面を表し、点線がメリジオナル像面を表すものとする。
【００７２】
〔実施例２〕
実施例２の全体諸元を以下に示す。
f=3.84mm
fB=0.2mm
F=2.4
2Y=6.4mm
2ω=78.2°
ENTP=0mm
EXTP=-4.56mm
H1=0.74mm
H2=-3.64mm
【００７３】
実施例２のレンズデータを表４に示す。
〔表４〕
面番号      R(mm)      D(mm)    Nd        νd    有効半径(mm)
1(絞り)    ∞         0.12                          0.80
2*        19.600      0.46    1.54470    56.2       0.80
3*        -2.679      0.20                          0.86
4*         4.844      0.33    1.63470    23.9       1.08
5*         1.844      0.34                          1.21
6*         4.431      0.52    1.54470    56.2       1.37
7*       -13.691      0.79                          1.43
8*        -2.054      0.81    1.54470    56.2       1.70
9*        -0.982      0.05                          1.79
10*         2.198      0.63    1.58300    30.0       2.16
11*         0.854      1.12                          2.66
12          ∞         0.40    1.51630    64.1       3.20
13          ∞                                       3.20
【００７４】
実施例２の撮像レンズのレンズ面の非球面係数を以下の表５に示す。
〔表５〕
第2面
K=-0.50000E+02, A4=-0.74815E-01, A6=-0.36158E-01, A8=-0.11265E-01, 
A10=-0.23708E-01, A12=0.42094E-01, A14=-0.38342E-01
第3面
K=0.53700E+01, A4=-0.46546E-02, A6=-0.22490E-01, A8=0.23988E-01, 
A10=-0.84812E-02, A12=-0.19338E-01, A14=0.29592E-01
第4面
K=0.39679E+01, A4=-0.79559E-01, A6=0.75244E-01, A8=-0.50841E-01, 
A10=-0.91942E-02, A12=0.30016E-01, A14=-0.11008E-01
第5面
K=-0.69287E+01, A4=-0.20747E-01, A6=0.42636E-01, A8=-0.36380E-01, 
A10=0.23365E-02, A12=0.90829E-02, A14=-0.31472E-02
第6面
K=-0.31466E+02, A4=-0.29625E-01, A6=0.10804E-02, A8=-0.17658E-02, 
A10=0.87834E-02, A12=-0.19917E-02, A14=-0.11732E-03
第7面
K=0.30000E+02, A4=-0.42988E-01, A6=0.96040E-02, A8=-0.33987E-02, 
A10=-0.21795E-03, A12=0.40225E-02, A14=-0.10506E-02
第8面
K=-0.29681E+00, A4=0.32276E-01, A6=-0.80652E-02, A8=0.65135E-02, 
A10=0.10980E-02, A12=-0.85030E-03, A14=0.94131E-04
第9面
K=-0.32018E+01, A4=-0.70201E-01, A6=0.27983E-01, A8=-0.64521E-02, 
A10=0.12308E-02, A12=0.93590E-04, A14=-0.35542E-04
第10面
K=-0.56367E+01, A4=-0.43572E-01, A6=0.70269E-02, A8=-0.89826E-03, 
A10=-0.37167E-03, A12=0.11358E-03, A14=-0.70900E-05
第11面
K=-0.40013E+01, A4=-0.29737E-01, A6=0.71764E-02, A8=-0.17271E-02, 
A10=0.24885E-03, A12=-0.19249E-04, A14=0.64959E-06
【００７５】
実施例２の単レンズデータを以下の表６に示す。
〔表６〕
レンズ      始面      焦点距離(mm)
1           2           4.358
2           4          -4.899
3           6           6.208
4           8           2.722
5          10          -2.900
【００７６】
図６は実施例２の撮像レンズ２１０（１０）の断面図である。撮像レンズ２１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において両凸で正の両非球面レンズである。第２レンズＬ２は、光軸ＯＡ近傍において物体側に凸で負メニスカスの両非球面レンズである。第３レンズＬ３は、光軸ＯＡ近傍において両凸で正の両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【００７７】
図７（Ａ）〜７（Ｃ）は、実施例２の撮像レンズ２１０の球面収差、非点収差、及び歪曲収差を示している。図７（Ｄ）及び７（Ｅ）は、実施例２の撮像レンズ２１０のメリジオナルコマ収差を示している。
【００７８】
〔実施例３〕
実施例３の全体諸元を以下に示す。
f=3.7mm
fB=0.2mm
F=2.4
2Y=6.4mm
2ω=80.2°
ENTP=0mm
EXTP=-3.58mm
H1=0.07mm
H2=-3.51mm
【００７９】
実施例３のレンズデータを表７に示す。
〔表７〕
面番号      R(mm)      D(mm)    Nd        νd    有効半径(mm)
1(絞り)    ∞         0.13                          0.77
2*      -182.292      0.62    1.54470    56.2       0.79
3*        -2.255      0.21                          0.95
4*         3.932      0.33    1.63470    23.9       1.21
5*         1.606      0.21                          1.36
6*         3.319      0.69    1.54470    56.2       1.45
7*       -33.051      0.68                          1.47
8*        -2.952      0.62    1.54470    56.2       1.69
9*        -1.022      0.24                          1.74
10*         3.294      0.50    1.54470    56.2       1.85
11*         0.864      0.83                          2.62
12          ∞         0.40    1.51630    64.1       3.20
13          ∞                                       3.20
【００８０】
実施例３の撮像レンズのレンズ面の非球面係数を以下の表８に示す。
〔表８〕
第2面
K=0.50000E+02, A4=-0.72445E-01, A6=-0.31702E-01, A8=0.85500E-02, 
A10=-0.23713E-01, A12=0.32944E-02, A14=0.11400E-01
第3面
K=0.29267E+01, A4=-0.20175E-03, A6=-0.14240E-01, A8=0.32773E-01, 
A10=-0.72958E-02, A12=-0.19548E-01, A14=0.23435E-01
第4面
K=-0.43780E+01, A4=-0.80623E-01, A6=0.56761E-01, A8=-0.28816E-01, 
A10=-0.45610E-02, A12=0.13749E-01, A14=-0.44361E-02
第5面
K=-0.51184E+01, A4=-0.18619E-01, A6=0.28622E-01, A8=-0.21923E-01, 
A10=0.17778E-02, A12=0.42952E-02, A14=-0.14799E-02
第6面
K=-0.16641E+02, A4=-0.91299E-02, A6=0.55811E-02, A8=-0.12706E-02, 
A10=0.39047E-02, A12=-0.11635E-02, A14=0.86726E-04
第7面
K=0.30000E+02, A4=-0.50706E-01, A6=0.37995E-02, A8=-0.28802E-02, 
A10=-0.14715E-03, A12=0.21192E-02, A14=-0.24373E-03
第8面
K=-0.16510E+00, A4=0.30557E-01, A6=-0.64599E-02, A8=0.41286E-02, 
A10=0.99326E-03, A12=-0.32737E-03, A14=-0.39269E-04
第9面
K=-0.37659E+01, A4=-0.43082E-01, A6=0.28572E-01, A8=-0.29052E-02, 
A10=0.76397E-03, A12=-0.65346E-04, A14=-0.49585E-04
第10面
K=-0.44701E+01, A4=-0.87981E-01, A6=0.16006E-01, A8=-0.24279E-02, 
A10=-0.32456E-03, A12=0.11247E-03, A14=-0.23648E-04
第11面
K=-0.41935E+01, A4=-0.46145E-01, A6=0.10921E-01, A8=-0.18068E-02, 
A10=0.13167E-03, A12=-0.30888E-05, A14=-0.57799E-07
【００８１】
実施例３の単レンズデータを以下の表９に示す。
〔表９〕
レンズ      始面      焦点距離(mm)
1           2           4.186
2           4          -4.531
3           6           5.574
4           8           2.575
5          10          -2.316
【００８２】
図８は実施例３の撮像レンズ３１０（１０）の断面図である。撮像レンズ３１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において像側に凸で正メニスカスの両非球面レンズである。第２レンズＬ２は、光軸ＯＡ近傍において物体側に凸で負メニスカスの両非球面レンズである。第３レンズＬ３は、光軸ＯＡ近傍において両凸で正の両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【００８３】
図９（Ａ）〜９（Ｃ）は、実施例３の撮像レンズ３１０の球面収差、非点収差、及び歪曲収差を示している。図９（Ｄ）及び９（Ｅ）は、実施例３の撮像レンズ３１０のメリジオナルコマ収差を示している。
【００８４】
〔実施例４〕
実施例４の全体諸元を以下に示す。
f=3.82mm
fB=0.2mm
F=2.4
2Y=6.4mm
2ω=78.4°
ENTP=0.24mm
EXTP=-4.07mm
H1=0.64mm
H2=-3.63mm
【００８５】
実施例４のレンズデータを表１０に示す。
〔表１０〕
面番号      R(mm)      D(mm)    Nd        νd    有効半径(mm)
1*        10.780      0.49    1.54470    56.2       0.85
2*        -2.808     -0.08                          0.82
3(絞り)    ∞         0.31                          0.80
4*         4.615      0.31    1.63470    23.9       0.99
5*         1.789      0.36                          1.10
6*         4.435      0.50    1.54470    56.2       1.29
7*       -19.777      0.71                          1.38
8*        -2.019      0.83    1.54470    56.2       1.65
9*        -0.966      0.05                          1.76
10*         2.193      0.63    1.58300    30.0       2.21
11*         0.853      1.09                          2.68
12          ∞         0.40    1.51630    64.1       3.20
13          ∞                                       3.20
【００８６】
実施例４の撮像レンズのレンズ面の非球面係数を以下の表１１に示す。
〔表１１〕
第1面
K=-0.49238E+02, A4=-0.63578E-01, A6=-0.30701E-01, A8=-0.16835E-01, 
A10=-0.25381E-01, A12=0.54389E-01, A14=-0.45339E-01
第2面
K=0.60781E+01, A4=-0.65387E-03, A6=-0.21915E-01, A8=0.23921E-01, 
A10=-0.93662E-02, A12=-0.19208E-01, A14=0.31727E-01
第4面
K=0.30906E+01, A4=-0.84122E-01, A6=0.79658E-01, A8=-0.54000E-01, 
A10=-0.10132E-01, A12=0.33468E-01, A14=-0.12356E-01
第5面
K=-0.66212E+01, A4=-0.19559E-01, A6=0.44827E-01, A8=-0.39129E-01, 
A10=0.26927E-02, A12=0.10240E-01, A14=-0.36194E-02
第6面
K=-0.31113E+02, A4=-0.30549E-01, A6=0.88688E-03, A8=-0.18687E-02, 
A10=0.96803E-02, A12=-0.22152E-02, A14=-0.14710E-03
第7面
K=0.30000E+02, A4=-0.44640E-01, A6=0.10680E-01, A8=-0.34787E-02, 
A10=-0.26084E-03, A12=0.44578E-02, A14=-0.12089E-02
第8面
K=-0.31967E+00, A4=0.34336E-01, A6=-0.83993E-02, A8=0.70345E-02, 
A10=0.12178E-02, A12=-0.95004E-03, A14=0.10406E-03
第9面
K=-0.31812E+01, A4=-0.73334E-01, A6=0.29574E-01, A8=-0.68939E-02, 
A10=0.13423E-02, A12=0.10378E-03, A14=-0.39303E-04
第10面
K=-0.57611E+01, A4=-0.43303E-01, A6=0.71604E-02, A8=-0.88276E-03, 
A10=-0.38809E-03, A12=0.12691E-03, A14=-0.89742E-05
第11面
K=-0.40993E+01, A4=-0.31301E-01, A6=0.76976E-02, A8=-0.18785E-02, 
A10=0.27184E-03, A12=-0.21372E-04, A14=0.74747E-06
【００８７】
実施例４の単レンズデータを以下の表１２に示す。
〔表１２〕
レンズ      始面      焦点距離(mm)
1           1           4.142
2           4          -4.807
3           6           6.700
4           8           2.665
5          10          -2.896
【００８８】
図１０は実施例４の撮像レンズ４１０（１０）の断面図である。撮像レンズ４１０（１０）は、物体側より順に、第１レンズＬ１と、開口絞りＳＴと、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において両凸で正の両非球面レンズである。第２レンズＬ２は、光軸ＯＡ近傍において物体側に凸で負メニスカスの両非球面レンズである。第３レンズＬ３は、光軸ＯＡ近傍において両凸で正の両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【００８９】
図１１（Ａ）〜１１（Ｃ）は、実施例４の撮像レンズ４１０の球面収差、非点収差、及び歪曲収差を示している。図１１（Ｄ）及び１１（Ｅ）は、実施例４の撮像レンズ４１０のメリジオナルコマ収差を示している。
【００９０】
〔実施例５〕
実施例５の全体諸元を以下に示す。
〔表１３〕
f=2.09mm
fB=0.18mm
F=2.2
2Y=3.6mm
2ω=79.8°
ENTP=0mm
EXTP=-2.94mm
H1=0.69mm
H2=-1.91mm
【００９１】
実施例５のレンズデータを表１３に示す。
〔表１３〕
面番号      R(mm)      D(mm)    Nd        νd    有効半径(mm)
1(絞り)    ∞         0.09                          0.48
2*         9.478      0.44    1.54470    56.2       0.48
3*        -1.053      0.13                          0.58
4*        -2.240      0.20    1.63470    23.9       0.66
5*       -18.523      0.26                          0.75
6*        -4.982      0.20    1.63470    23.9       0.78
7*         4.362      0.06                          0.89
8*        -3.114      0.61    1.54470    56.2       0.98
9*        -0.697      0.05                          1.00
10*         0.804      0.30    1.54470    56.2       1.21
11*         0.470      0.70                          1.45
12          ∞         0.30    1.51630    64.1       1.80
13          ∞                                       1.80
【００９２】
実施例５の撮像レンズのレンズ面の非球面係数を以下の表１４に示す。
〔表１４〕
第2面
K=-0.50000E+02, A4=-0.40772E+00, A6=-0.37441E+00, A8=-0.19556E+01, 
A10=-0.22077E+00, A12=0.40552E+01, A14=-0.50484E+02
第3面
K=0.15040E+01, A4=0.54665E-02, A6=-0.17184E+00, A8=0.38904E+00, 
A10=-0.36398E+00, A12=-0.29848E+01, A14=0.12232E+02
第4面
K=-0.36657E+02, A4=-0.21749E+00, A6=0.87394E-01, A8=-0.72073E+00, 
A10=-0.76300E+00, A12=0.39472E+01, A14=-0.37180E+01
第5面
K=0, A4=0.10665E+00, A6=-0.80132E+00, A8=0.14572E+00, 
A10=0.12794E+01, A12=-0.51035E+01, A14=0.50027E+01
第6面
K=0.34252E+02, A4=-0.55373E+00, A6=-0.18153E+00, A8=0.73419E+00, 
A10=0.61989E-01, A12=-0.46092E+00, A14=0.86475E+00
第7面
K=-0.50000E+02, A4=-0.57512E+00, A6=0.30225E+00, A8=-0.35733E+00, 
A10=0.44032E+00, A12=0.10089E+01, A14=-0.10408E+01
第8面
K=-0.36689E+02, A4=-0.12833E+00, A6=0.14887E+00, A8=0.15145E+00, 
A10=0.35644E-01, A12=-0.16444E+00, A14=0.59935E-01
第9面
K=-0.27995E+01, A4=-0.36676E+00, A6=0.52519E+00, A8=-0.71632E-01, 
A10=-0.82254E-01, A12=-0.25144E-01, A14=0.79239E-01
第10面
K=-0.53099E+01, A4=-0.84616E-01, A6=-0.46909E-01, A8=-0.13864E-01, 
A10=0.14890E-01, A12=0.93834E-02, A14=-0.59090E-02
第11面
K=-0.29439E+01, A4=-0.14359E+00, A6=0.47058E-01, A8=-0.20251E-01, 
A10=0.72329E-02, A12=-0.12447E-02, A14=-0.41513E-05
【００９３】
実施例５の単レンズデータを以下の表１５に示す。
〔表１５〕
レンズ      始面      焦点距離(mm)
1           2           1.766
2           4          -4.033
3           6          -3.634
4           8           1.513
5          10          -3.046
【００９４】
図１２は実施例５の撮像レンズ５１０（１０）の断面図である。撮像レンズ５１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において両凸で正の両非球面レンズである。第２レンズＬ２は、光軸ＯＡ近傍において像側に凸で負メニスカスの両非球面レンズである。第３レンズＬ３は、光軸ＯＡ近傍において両凹で負の両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【００９５】
図１３（Ａ）〜１３（Ｃ）は、実施例５の撮像レンズ５１０の球面収差、非点収差、及び歪曲収差を示している。図１３（Ｄ）及び１３（Ｅ）は、実施例５の撮像レンズ５１０のメリジオナルコマ収差を示している。
【００９６】
〔実施例６〕
実施例６の全体諸元を以下に示す。
f=2.05mm
fB=0.18mm
F=2.2
2Y=3.6mm
2ω=80.8°
ENTP=0mm
EXTP=-3.44mm
H1=0.89mm
H2=-1.87mm
【００９７】
実施例６のレンズデータを表１６に示す。
〔表１６〕
面番号      R(mm)      D(mm)    Nd        νd    有効半径(mm)
1(絞り)    ∞         0.10                          0.47
2*         ∞         0.46    1.54470    56.2       0.47
3*        -0.929      0.13                          0.59
4*        -3.244      0.20    1.63470    23.9       0.68
5*         9.223      0.23                          0.79
6*        -4.992      0.20    1.63470    23.9       0.82
7*         3.448      0.07                          0.92
8*        -3.257      0.63    1.54470    56.2       1.02
9*        -0.802      0.05                          1.03
10*         0.757      0.30    1.54470    56.2       1.26
11*         0.544      0.72                          1.48
12          ∞         0.30    1.51630    64.1       1.80
13          ∞                                       1.80
【００９８】
実施例６の撮像レンズのレンズ面の非球面係数を以下の表１７に示す。
〔表１７〕
第2面
K=-0.49984E+02, A4=-0.46584E+00, A6=-0.43623E+00, A8=-0.31545E+01, 
A10=0.12670E+01, A12=0.19251E+02, A14=-0.13199E+03
第3面
K=0.94189E+00, A4=-0.12963E-01, A6=-0.18449E+00, A8=0.90251E+00, 
A10=-0.29585E+00, A12=-0.55977E+01, A14=0.12163E+02
第4面
K=-0.50000E+02, A4=-0.25847E+00, A6=-0.10058E+00, A8=-0.70509E-01, 
A10=0.66718E-01, A12=0.27141E+01, A14=-0.69108E+01
第5面
K=0, A4=0.89998E-02, A6=-0.69841E+00, A8=0.24198E+00, 
A10=0.15510E+01, A12=-0.48451E+01, A14=0.34878E+01
第6面
K=0.30707E+02, A4=-0.50854E+00, A6=-0.15559E+00, A8=0.74562E+00, 
A10=0.13116E+00, A12=-0.46296E+00, A14=0.40144E+00
第7面
K=-0.42644E+02, A4=-0.57916E+00, A6=0.33229E+00, A8=-0.37560E+00, 
A10=0.36694E+00, A12=0.97615E+00, A14=-0.89782E+00
第8面
K=-0.42880E+02, A4=-0.12276E+00, A6=0.13442E+00, A8=0.14213E+00, 
A10=0.32323E-01, A12=-0.16393E+00, A14=0.65999E-01
第9面
K=-0.24660E+01, A4=-0.36059E+00, A6=0.52691E+00, A8=-0.68064E-01, 
A10=-0.86913E-01, A12=-0.40014E-01, A14=0.72333E-01
第10面
K=-0.32254E+01, A4=-0.97603E-01, A6=-0.69606E-02, A8=-0.42040E-01, 
A10=0.11942E-01, A12=0.15156E-01, A14=-0.67980E-02
第11面
K=-0.23459E+01, A4=-0.15174E+00, A6=0.38353E-01, A8=-0.16036E-01, 
A10=0.68684E-02, A12=-0.14835E-02, A14=0.46330E-04
【００９９】
実施例６の単レンズデータを以下の表１８に示す。
〔表１８〕
レンズ      始面      焦点距離(mm)
1           2           1.706
2           4          -3.758
3           6          -3.184
4           8           1.793
5          10          -6.999
【０１００】
図１４は実施例６の撮像レンズ６１０（１０）の断面図である。撮像レンズ６１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において物体側に平で像側に凸で正の両非球面レンズである。第２レンズＬ２は、光軸ＯＡ近傍において両凹で負の両非球面レンズである。第３レンズＬ３は、光軸ＯＡ近傍において両凹で負の両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【０１０１】
図１５（Ａ）〜１５（Ｃ）は、実施例６の撮像レンズ６１０の球面収差、非点収差、及び歪曲収差を示している。図１５（Ｄ）及び１５（Ｅ）は、実施例６の撮像レンズ６１０のメリジオナルコマ収差を示している。
【０１０２】
〔実施例７〕
実施例７の全体諸元を以下に示す。
f=2.04mm
fB=0.18mm
F=2.2
2Y=3.6mm
2ω=81.0°
ENTP=0mm
EXTP=-3.88mm
H1=1.02mm
H2=-1.86mm
【０１０３】
実施例７のレンズデータを表１９に示す。
〔表１９〕
面番号      R(mm)      D(mm)    Nd        νd    有効半径(mm)
1(絞り)    ∞         0.12                          0.46
2*        -6.582      0.44    1.54470    56.2       0.47
3*        -0.859      0.12                          0.57
4*       -16.593      0.20    1.63470    23.9       0.68
5*         3.382      0.28                          0.79
6*        -5.013      0.20    1.63470    23.9       0.83
7*         3.010      0.11                          0.92
8*        -3.527      0.62    1.54470    56.2       1.05
9*        -0.868      0.05                          1.06
10*         0.797      0.31    1.54470    56.2       1.29
11*         0.626      0.72                          1.49
12          ∞         0.30    1.51630    64.1       1.80
13          ∞                                       1.80
【０１０４】
実施例７の撮像レンズのレンズ面の非球面係数を以下の表２０に示す。
〔表２０〕
第2面
K=0.44371E+02, A4=-0.53771E+00, A6=-0.53383E+00, A8=-0.39260E+01, 
A10=0.27925E+01, A12=0.31473E+02, A14=-0.23110E+03
第3面
K=0.76485E+00, A4=-0.96316E-02, A6=-0.45385E-01, A8=0.88026E+00, 
A10=-0.88032E+00, A12=-0.57047E+01, A14=0.18088E+02
第4面
K=-0.50000E+02, A4=-0.15847E+00, A6=-0.22229E+00, A8=-0.12011E+00, 
A10=0.23346E+00, A12=0.27906E+01, A14=-0.75935E+01
第5面
K=0, A4=-0.58818E-01, A6=-0.68317E+00, A8=0.23511E+00, 
A10=0.15325E+01, A12=-0.48062E+01, A14=0.35130E+01
第6面
K=0.31452E+02, A4=-0.47884E+00, A6=-0.14154E+00, A8=0.75105E+00, 
A10=0.15011E+00, A12=-0.44710E+00, A14=0.35293E+00
第7面
K=-0.31144E+02, A4=-0.57182E+00, A6=0.35456E+00, A8=-0.36887E+00, 
A10=0.34851E+00, A12=0.95832E+00, A14=-0.88321E+00
第8面
K=-0.50000E+02, A4=-0.12488E+00, A6=0.12665E+00, A8=0.13738E+00, 
A10=0.31213E-01, A12=-0.16328E+00, A14=0.67823E-01
第9面
K=-0.23900E+01, A4=-0.37317E+00, A6=0.52375E+00, A8=-0.68918E-01, 
A10=-0.91341E-01, A12=-0.44448E-01, A14=0.72809E-01
第10面
K=-0.30863E+01, A4=-0.66223E-01, A6=0.43177E-02, A8=-0.52703E-01, 
A10=0.85402E-02, A12=0.15980E-01, A14=-0.58646E-02
第11面
K=-0.21804E+01, A4=-0.13124E+00, A6=0.24105E-01, A8=-0.14785E-01, 
A10=0.74443E-02, A12=-0.14780E-02, A14=0.24554E-04
【０１０５】
実施例７の単レンズデータを以下の表２１に示す。
〔表２１〕
レンズ      始面      焦点距離(mm)
1           2           1.765
2           4          -4.409
3           6          -2.935
4           8           1.954
5          10         -14.782
【０１０６】
図１６は実施例７の撮像レンズ７１０（１０）の断面図である。撮像レンズ７１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において像側に凸で正メニスカスの両非球面レンズである。第２レンズＬ２は、光軸ＯＡ近傍において両凹で負の両非球面レンズである。第３レンズＬ３は、光軸ＯＡ近傍において両凹で負の両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【０１０７】
図１７（Ａ）〜１７（Ｃ）は、実施例７の撮像レンズ７１０の球面収差、非点収差、及び歪曲収差を示している。図１７（Ｄ）及び１７（Ｅ）は、実施例７の撮像レンズ７１０のメリジオナルコマ収差を示している。
【０１０８】
〔実施例８〕
実施例８の全体諸元を以下に示す。
f=3.67mm
fB=0.2mm
F=2.6
2Y=6.4mm
2ω=80.8°
ENTP=0.16mm
EXTP=-3.93mm
H1=0.57mm
H2=-3.47mm
【０１０９】
実施例８のレンズデータを表２２に示す。
〔表２２〕
面番号      R(mm)      D(mm)    Nd        νd    有効半径(mm)
1*        36.744      0.42    1.58910    61.2       0.71
2*        -2.297     -0.10                          0.74
3(絞り)    ∞         0.18                          0.73
4*       -11.756      0.28    1.63200    23.4       0.82
5*       -15.548      0.42                          0.89
6*        -4.419      0.30    1.63200    23.4       1.03
7*        15.420      0.47                          1.19
8*       -14.682      1.15    1.54470    56.2       1.58
9*        -1.355      0.19                          1.70
10*         1.709      0.51    1.54470    56.2       2.17
11*         0.850      1.24                          2.67
12          ∞         0.30    1.51630    64.1       3.20
13          ∞                                       3.20
【０１１０】
実施例８の撮像レンズのレンズ面の非球面係数を以下の表２３に示す。
〔表２３〕
第1面
K=-0.35664E+02, A4=-0.14379E+00, A6=-0.77920E-01, A8=-0.39135E-01, 
A10=0.12539E-01, A12=-0.67172E-01, A14=-0.34929E-02
第2面
K=0.50330E+01, A4=-0.52534E-01, A6=0.24077E-02, A8=0.22877E-01, 
A10=-0.23160E-01, A12=-0.50505E-01, A14=0.14295E+00
第4面
K=0.50000E+02, A4=0.56238E-01, A6=0.50757E-01, A8=-0.10567E+00, 
A10=0.36728E-01, A12=0.72836E-01, A14=-0.58825E-01
第5面
K=-0.50000E+02, A4=0.27573E-01, A6=0.42252E-01, A8=-0.88305E-01, 
A10=0.72992E-01, A12=-0.36484E-01, A14=0.42196E-02
第6面
K=-0.94116E+01, A4=-0.68542E-01, A6=0.41893E-01, A8=0.46351E-01, 
A10=-0.12961E-01, A12=-0.33340E-01, A14=0.15333E-01
第7面
K=-0.50000E+02, A4=-0.27917E-01, A6=0.25547E-01, A8=0.60124E-02, 
A10=-0.38878E-02, A12=-0.23680E-02, A14=0.10382E-02
第8面
K=0.30735E+02, A4=0.29807E-01, A6=-0.56980E-02, A8=-0.22552E-02, 
A10=0.81279E-03, A12=0.54177E-03, A14=-0.13437E-03
第9面
K=-0.41942E+01, A4=-0.51673E-01, A6=0.27446E-01, A8=-0.70242E-02, 
A10=0.40584E-03, A12=0.71434E-04, A14=0.56895E-04
第10面
K=-0.24365E+01, A4=-0.81670E-01, A6=0.12911E-01, A8=-0.73800E-03, 
A10=-0.34132E-03, A12=0.97713E-04, A14=-0.68755E-05
第11面
K=-0.25146E+01, A4=-0.53156E-01, A6=0.12510E-01, A8=-0.21166E-02, 
A10=0.23072E-03, A12=-0.15169E-04, A14=0.46819E-06
【０１１１】
実施例８の単レンズデータを以下の表２４に示す。
〔表２４〕
レンズ      始面      焦点距離(mm)
1           1           3.684
2           4         -78.486
3           6          -5.403
4           8           2.660
5          10          -3.918
【０１１２】
図１８は実施例８の撮像レンズ８１０（１０）の断面図である。撮像レンズ８１０（１０）は、物体側より順に、第１レンズＬ１と、開口絞りＳＴと、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において両凸で正の両非球面レンズである。第２レンズＬ２は、光軸ＯＡ近傍において像側に凸で僅かに負メニスカスの両非球面レンズである。第３レンズＬ３は、光軸ＯＡ近傍において両凹で負の両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【０１１３】
図１９（Ａ）〜１９（Ｃ）は、実施例８の撮像レンズ８１０の球面収差、非点収差、及び歪曲収差を示している。図１９（Ｄ）及び１９（Ｅ）は、実施例８の撮像レンズ８１０のメリジオナルコマ収差を示している。
【０１１４】
〔実施例９〕
実施例９の全体諸元を以下に示す。
f=3.59mm
fB=0.2mm
F=2.6
2Y=6.4mm
2ω=82°
ENTP=0mm
EXTP=-4.41mm
H1=0.8mm
H2=-3.39mm
【０１１５】
実施例９のレンズデータを表２５に示す。
〔表２５〕
面番号      R(mm)      D(mm)    Nd        νd    有効半径(mm)
1(絞り)    ∞         0.12                          0.69
2*       -90.000      0.41    1.58910    61.2       0.71
3*        -2.111      0.12                          0.80
4*       -10.786      0.27    1.63200    23.4       0.86
5*       -12.945      0.41                          0.94
6*        -3.484      0.28    1.63200    23.4       1.06
7*        29.823      0.39                          1.22
8*       -17.675      1.16    1.54470    56.2       1.58
9*        -1.318      0.20                          1.69
10*         1.514      0.45    1.54470    56.2       2.24
11*         0.800      1.29                          2.69
12          ∞         0.30    1.51630    64.1       3.20
13          ∞                                       3.20
【０１１６】
実施例９の撮像レンズのレンズ面の非球面係数を以下の表２６に示す。
〔表２６〕
第2面
K=-0.50000E+02, A4=-0.16066E+00, A6=-0.73429E-01, A8=-0.60380E-01, 
A10=-0.20025E-01, A12=-0.56877E-01, A14=-0.45567E-02
第3面
K=0.42826E+01, A4=-0.58623E-01, A6=0.61168E-02, A8=0.31823E-01, 
A10=-0.36498E-01, A12=-0.85408E-01, A14=0.21256E+00
第4面
K=0.50000E+02, A4=0.52648E-01, A6=0.53607E-01, A8=-0.12581E+00, 
A10=0.39907E-01, A12=0.94493E-01, A14=-0.73316E-01
第5面
K=-0.50000E+02, A4=0.28368E-01, A6=0.39762E-01, A8=-0.10303E+00, 
A10=0.88188E-01, A12=-0.46564E-01, A14=0.62934E-02
第6面
K=-0.79082E+01, A4=-0.73082E-01, A6=0.49282E-01, A8=0.54176E-01, 
A10=-0.14833E-01, A12=-0.43419E-01, A14=0.19654E-01
第7面
K=-0.50000E+02, A4=-0.29216E-01, A6=0.28076E-01, A8=0.68727E-02, 
A10=-0.42553E-02, A12=-0.29104E-02, A14=0.11680E-02
第8面
K=0.37422E+02, A4=0.31231E-01, A6=-0.65519E-02, A8=-0.24675E-02, 
A10=0.10197E-02, A12=0.66788E-03, A14=-0.18177E-03
第9面
K=-0.42838E+01, A4=-0.55782E-01, A6=0.31587E-01, A8=-0.80149E-02, 
A10=0.43238E-03, A12=0.68298E-04, A14=0.76669E-04
第10面
K=-0.23989E+01, A4=-0.82761E-01, A6=0.13921E-01, A8=-0.93026E-03, 
A10=-0.41201E-03, A12=0.12217E-03, A14=-0.87377E-05
第11面
K=-0.24143E+01, A4=-0.56596E-01, A6=0.13644E-01, A8=-0.24145E-02, 
A10=0.27703E-03, A12=-0.19080E-04, A14=0.62191E-06
【０１１７】
実施例９の単レンズデータを以下の表２７に示す。
〔表２７〕
レンズ      始面      焦点距離(mm)
1           2           3.663
2           4        -107.567
3           6          -4.920
4           8           2.552
5          10          -3.997
【０１１８】
図２０は実施例９の撮像レンズ９１０（１０）の断面図である。撮像レンズ９１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において像側に凸で正メニスカスの両非球面レンズである。第２レンズＬ２は、光軸ＯＡ近傍において像側に凸で僅かに負メニスカスの両非球面レンズである。第３レンズＬ３は、光軸ＯＡ近傍において両凹で負の両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【０１１９】
図２１（Ａ）〜２１（Ｃ）は、実施例９の撮像レンズ９１０の球面収差、非点収差、及び歪曲収差を示している。図２１（Ｄ）及び２１（Ｅ）は、実施例９の撮像レンズ９１０のメリジオナルコマ収差を示している。
【０１２０】
〔実施例１０〕
実施例１０の全体諸元を以下に示す。
f=2.4mm
fB=0.2mm
F=2.4
2Y=4.6mm
2ω=86.6°
ENTP=0mm
EXTP=-3.05mm
H1=0.63mm
H2=-2.2mm
【０１２１】
実施例１０のレンズデータを表２８に示す。
〔表２８〕
面番号      R(mm)      D(mm)    Nd        νd    有効半径(mm)
1(絞り)    ∞         0.07                          0.50
2*         4.652      0.59    1.54470    56.2       0.51
3*        -1.126      0.06                          0.64
4*        -3.752      0.25    1.63470    23.9       0.69
5*         3.485      0.29                          0.84
6*        -1.544      0.29    1.54470    56.2       0.92
7*        -3.393      0.05                          1.00
8*        -5.964      0.48    1.53180    56.6       1.03
9*        -0.892      0.05                          1.10
10*         0.891      0.33    1.53180    56.6       1.50
11*         0.542      1.01                          1.83
12          ∞         0.10    1.51630    64.2       2.30
13          ∞                                       2.30
【０１２２】
実施例１０の撮像レンズのレンズ面の非球面係数を以下の表２９に示す。
〔表２９〕
第2面
K=-0.43370E+02, A4=-0.13119E+00, A6=-0.16705E+00, A8=-0.90606E+00, 
A10=0.48604E-01
第3面
K=-0.73977E+00, A4=-0.98058E-01, A6=-0.22632E+00, A8=0.88067E-01, 
A10=-0.54324E+00
第4面
K=0.59409E+00, A4=-0.23468E+00, A6=-0.69759E-01, A8=0.78810E-01, 
A10=0.10045E+00
第5面
K=-0.15257E+02, A4=-0.13749E+00, A6=-0.30382E-01, A8=-0.63661E-01, 
A10=0.63541E-01, A12=0.32233E-01
第6面
K=-0.53039E+01, A4=0.12876E+00, A6=-0.13157E+00, A8=0.13702E+00, 
A10=-0.21016E-02, A12=-0.93547E-02
第7面
K=0, A4=-0.32035E-01, A6=0.13605E-01, A8=-0.76855E-02, 
A10=-0.60074E-02, A12=0.66654E-02
第8面
K=0, A4=0.30834E-01, A6=-0.20119E-01, A8=0.11695E-02, 
A10=-0.19468E-02, A12=-0.14962E-01
第9面
K=-0.39519E+01, A4=-0.93071E-01, A6=0.10569E+00, A8=-0.19215E-01, 
A10=0.24609E-01, A12=-0.25990E-03
第10面
K=-0.17179E+01, A4=-0.30183E+00, A6=0.65583E-01, A8=-0.30330E-02, 
A10=0.48063E-03, A12=-0.41479E-09
第11面
K=-0.23615E+01, A4=-0.19628E+00, A6=0.77784E-01, A8=-0.22044E-01, 
A10=0.34904E-02, A12=-0.26020E-03
【０１２３】
実施例１０の単レンズデータを以下の表３０に示す。
〔表３０〕
レンズ      始面      焦点距離(mm)
1           2           1.727
2           4          -2.809
3           6          -5.512
4           8           1.909
5          10          -3.858
【０１２４】
図２２は実施例１０の撮像レンズ１０１０（１０）の断面図である。撮像レンズ１０１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において両凸で正の両非球面レンズである。第２レンズＬ２は、光軸ＯＡ近傍において両凹で負の両非球面レンズである。第３レンズＬ３は、光軸ＯＡ近傍において像側に凸で負メニスカスの両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【０１２５】
図２３（Ａ）〜２３（Ｃ）は、実施例１０の撮像レンズ１０１０の球面収差、非点収差、及び歪曲収差を示している。図２３（Ｄ）及び２３（Ｅ）は、実施例１０の撮像レンズ１０１０のメリジオナルコマ収差を示している。
【０１２６】
〔実施例１１〕
実施例１１の全体諸元を以下に示す。
f=2.6mm
fB=0.2mm
F=2.6
2Y=4.6mm
2ω=81.6°
ENTP=0mm
EXTP=-3.26mm
H1=0.65mm
H2=-2.4mm
【０１２７】
実施例１１のレンズデータを表３１に示す。
〔表３１〕
面番号      R(mm)      D(mm)    Nd        νd    有効半径(mm)
1(絞り)    ∞         0.13                          0.50
2*         3.259      0.64    1.53180    56.6       0.58
3*        -1.080      0.08                          0.74
4*        -1.946      0.25    1.58300    30.0       0.79
5*         3.331      0.29                          0.94
6*        -2.667      0.32    1.53180    56.6       1.03
7*        -5.320      0.05                          1.10
8*        -5.988      0.56    1.53180    56.6       1.13
9*        -0.912      0.05                          1.19
10*         1.001      0.35    1.53180    56.6       1.51
11*         0.561      1.04                          1.86
12          ∞         0.10    1.51630    64.2       2.30
13          ∞                                       2.30
【０１２８】
実施例１１の撮像レンズのレンズ面の非球面係数を以下の表３２に示す。
〔表３２〕
第2面
K=-0.15598E+02, A4=-0.96141E-01, A6=-0.14147E+00, A8=-0.61562E+00, 
A10=0.32887E-01
第3面
K=-0.10671E+01, A4=-0.53883E-01, A6=-0.20934E+00, A8=0.12881E-01, 
A10=-0.27916E+00
第4面
K=-0.19187E+01, A4=-0.13833E+00, A6=-0.32903E-02, A8=0.14545E+00, 
A10=0.25683E-01
第5面
K=-0.73675E+01, A4=-0.87028E-01, A6=0.45245E-01, A8=-0.42316E-01, 
A10=0.26065E-01, A12=-0.23414E-02
第6面
K=-0.83711E+01, A4=0.12794E+00, A6=-0.14837E+00, A8=0.11556E+00, 
A10=-0.12448E-01, A12=-0.59167E-02
第7面
K=0, A4=-0.25193E-01, A6=0.36607E-02, A8=-0.47563E-03, 
A10=-0.14483E-03, A12=0.31376E-03
第8面
K=0, A4=0.17751E-01, A6=-0.67343E-02, A8=-0.12759E-02, 
A10=-0.36683E-03, A12=0.48194E-03
第9面
K=-0.40158E+01, A4=-0.97332E-01, A6=0.78916E-01, A8=-0.29735E-01, 
A10=0.23610E-01, A12=0.44100E-03
第10面
K=-0.14381E+01, A4=-0.29100E+00, A6=0.66619E-01, A8=-0.57316E-02, 
A10=-0.50626E-03, A12=0.30190E-03
第11面
K=-0.24117E+01, A4=-0.16699E+00, A6=0.66326E-01, A8=-0.20086E-01, 
A10=0.35344E-02, A12=-0.28836E-03
【０１２９】
実施例１１の単レンズデータを以下の表３３に示す。
〔表３３〕
レンズ      始面      焦点距離(mm)
1           2           1.608
2           4          -2.071
3           6         -10.493
4           8           1.947
5          10          -3.310
【０１３０】
図２４は実施例１１の撮像レンズ１１１０（１０）の断面図である。撮像レンズ１１１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において両凸で正の両非球面レンズである。第２レンズＬ２は、光軸ＯＡ近傍において両凹で負の両非球面レンズである。第３レンズＬ３は、光軸ＯＡ近傍において像側に凸で負メニスカスの両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【０１３１】
図２５（Ａ）〜２５（Ｃ）は、実施例１１の撮像レンズ１１１０の球面収差、非点収差、及び歪曲収差を示している。図２５（Ｄ）及び２５（Ｅ）は、実施例１１の撮像レンズ１１１０のメリジオナルコマ収差を示している。
【０１３２】
〔実施例１２〕
実施例１２の全体諸元を以下に示す。
f=2.4mm
fB=0.17mm
F=2.4
2Y=4.6mm
2ω=87.4°
ENTP=0mm
EXTP=-2.83mm
H1=0.48mm
H2=-2.24mm
【０１３３】
実施例１２のレンズデータを表３４に示す。
〔表３４〕
面番号      R(mm)      D(mm)    Nd        νd    有効半径(mm)
1(絞り)    ∞         0.07                          0.50
2*         5.177      0.36    1.54470    56.2       0.51
3*        -2.203      0.05                          0.61
4*         3.679      0.25    1.63200    23.4       0.72
5*         1.254      0.14                          0.83
6*         1.708      0.37    1.54470    56.2       0.91
7*         3.611      0.32                          0.95
8*        -1.332      0.44    1.54470    56.2       0.99
9*        -0.705      0.05                          1.14
10*         0.649      0.28    1.54470    56.2       1.63
11*         0.408      0.99                          1.85
12          ∞         0.10    1.51630    64.1       2.30
13          ∞                                       2.30
【０１３４】
実施例１２の撮像レンズのレンズ面の非球面係数を以下の表３５に示す。
〔表３５〕
第2面
K=-0.50000E+02, A4=-0.16900E+00, A6=0.15632E+00, A8=-0.22708E+01, 
A10=0.41268E+01, A12=-0.25870E+01, A14=-0.57449E+00
第3面
K=0.81104E+01, A4=0.25347E-01, A6=-0.41988E+00, A8=0.72073E+00, 
A10=0.50376E+00, A12=-0.44830E+01, A14=0.76056E+01
第4面
K=-0.19600E+01, A4=-0.15720E+00, A6=0.93498E-01, A8=-0.26303E+00, 
A10=0.20215E+00, A12=0.76724E+00, A14=-0.11451E+01
第5面
K=-0.90983E+01, A4=0.51158E-01, A6=-0.15787E-01, A8=-0.26595E+00, 
A10=0.20096E+00, A12=0.82963E-01, A14=-0.28542E+00
第6面
K=-0.15670E+02, A4=-0.10151E-02, A6=-0.54245E-02, A8=0.44138E-01, 
A10=0.44264E-01, A12=-0.26275E-02, A14=-0.60770E-01
第7面
K=0.11721E+02, A4=-0.10896E+00, A6=-0.10557E+00, A8=-0.18035E-02, 
A10=-0.15974E-01, A12=-0.23780E-01, A14=0.93251E-01
第8面
K=-0.19801E+02, A4=0.12478E+00, A6=-0.41253E-01, A8=-0.50633E-01, 
A10=-0.39279E-01, A12=-0.12592E-01, A14=0.65867E-02
第9面
K=-0.43111E+01, A4=-0.12286E+00, A6=0.21603E+00, A8=-0.31160E-01, 
A10=-0.20213E-01, A12=-0.13422E-01, A14=0.71944E-02
第10面
K=-0.35398E+01, A4=-0.21151E+00, A6=0.50564E-01, A8=-0.15877E-03, 
A10=-0.32883E-02, A12=0.15850E-02, A14=-0.24928E-03
第11面
K=-0.30780E+01, A4=-0.17726E+00, A6=0.69545E-01, A8=-0.17504E-01, 
A10=0.20747E-02, A12=-0.11872E-03, A14=0.72504E-05
【０１３５】
実施例１２の単レンズデータを以下の表３６に示す。
〔表３６〕
レンズ      始面      焦点距離(mm)
1           2           2.887
2           4          -3.135
3           6           5.569
4           8           2.209
5          10          -3.440
【０１３６】
図２６は実施例１２の撮像レンズ１２１０（１０）の断面図である。撮像レンズ１２１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において両凸で正の両非球面レンズである。第２レンズＬ２は、光軸ＯＡ近傍において物体側に凸で負メニスカスの両非球面レンズである。第３レンズＬ３は、光軸ＯＡ近傍において物体側に凸で正メニスカスの両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【０１３７】
図２７（Ａ）〜２７（Ｃ）は、実施例１２の撮像レンズ１２１０の球面収差、非点収差、及び歪曲収差を示している。図２７（Ｄ）及び２７（Ｅ）は、実施例１２の撮像レンズ１２１０のメリジオナルコマ収差を示している。
【０１３８】
〔実施例１３〕
実施例１３の全体諸元を以下に示す。
f=2.4mm
fB=0.19mm
F=2.6
2Y=4.6mm
2ω=88°
ENTP=0mm
EXTP=-2.81mm
H1=0.48mm
H2=-2.22mm
【０１３９】
実施例１３のレンズデータを表３７に示す。
〔表３７〕
面番号      R(mm)      D(mm)    Nd        νd    有効半径(mm)
1(絞り)    ∞         0.06                          0.46
2*         3.808      0.35    1.54470    56.2       0.47
3*        -2.609      0.05                          0.58
4*         4.239      0.25    1.63200    23.4       0.66
5*         1.261      0.14                          0.78
6*         1.758      0.38    1.54470    56.2       0.87
7*         4.723      0.31                          0.93
8*        -1.286      0.45    1.54470    56.2       0.99
9*        -0.662      0.05                          1.13
10*         0.669      0.28    1.54470    56.2       1.60
11*         0.400      0.98                          1.83
12          ∞         0.10    1.51630    64.1       2.30
13          ∞                                       2.30
【０１４０】
実施例１３の撮像レンズのレンズ面の非球面係数を以下の表３８に示す。
〔表３８〕
第2面
K=-0.19749E+02, A4=-0.10891E+00, A6=0.52081E-01, A8=-0.95179E+00, 
A10=-0.35358E+00, A12=0.34089E+01, A14=-0.57449E+00
第3面
K=0.10100E+02, A4=0.85220E-01, A6=-0.33374E+00, A8=-0.57820E-01, 
A10=0.79697E+00, A12=0.17504E+00, A14=-0.20554E+01
第4面
K=0.43336E+01, A4=-0.14674E+00, A6=0.10542E+00, A8=-0.26582E+00, 
A10=-0.69368E-01, A12=0.34531E+00, A14=0.40819E-01
第5面
K=-0.10668E+02, A4=0.53038E-01, A6=0.25583E-02, A8=-0.26937E+00, 
A10=0.13555E+00, A12=0.15215E-01, A14=-0.15305E+00
第6面
K=-0.16296E+02, A4=-0.29257E-01, A6=0.24615E-01, A8=0.57492E-01, 
A10=0.31335E-01, A12=0.55717E-02, A14=-0.81306E-01
第7面
K=0.12410E+02, A4=-0.90128E-01, A6=-0.10784E+00, A8=-0.14369E-01, 
A10=0.10195E-01, A12=0.20757E-01, A14=0.10470E+00
第8面
K=-0.19951E+02, A4=0.10483E+00, A6=-0.43457E-01, A8=-0.63517E-01, 
A10=-0.42384E-01, A12=0.91437E-02, A14=0.20693E-01
第9面
K=-0.44088E+01, A4=-0.13320E+00, A6=0.20143E+00, A8=-0.23778E-01, 
A10=-0.10161E-01, A12=-0.11240E-01, A14=0.23899E-02
第10面
K=-0.35113E+01, A4=-0.21842E+00, A6=0.50869E-01, A8=0.41276E-03, 
A10=-0.31180E-02, A12=0.16048E-02, A14=-0.27790E-03
第11面
K=-0.31196E+01, A4=-0.17476E+00, A6=0.66390E-01, A8=-0.17414E-01, 
A10=0.23141E-02, A12=-0.66392E-04, A14=-0.12412E-04
【０１４１】
実施例１３の単レンズデータを以下の表３９に示す。
〔表３９〕
レンズ      始面      焦点距離(mm)
1           2           2.898
2           4          -2.936
3           6           4.916
4           8           2.000
5          10          -2.892
【０１４２】
図２８は実施例１３の撮像レンズ１３１０（１０）の断面図である。撮像レンズ１３１０（１０）は、物体側より順に、開口絞りＳＴと、第１レンズＬ１と、第２レンズＬ２と、第３レンズＬ３と、第４レンズＬ４と、第５レンズＬ５とを有する。第１〜第５レンズＬ１〜Ｌ５は、樹脂製である。第１レンズＬ１は、光軸ＯＡ近傍において両凸で正の両非球面レンズである。第２レンズＬ２は、光軸ＯＡ近傍において物体側に凸で負メニスカスの両非球面レンズである。第３レンズＬ３は、光軸ＯＡ近傍において物体側に凸で正メニスカスの両非球面レンズである。第４レンズＬ４は、光軸ＯＡ近傍において像側に凸で正メニスカスの両非球面レンズである。第５レンズＬ５は、光軸ＯＡ近傍において物体側に凸で負メニスカスの両非球面レンズである。なお、第５レンズＬ５と撮像面Ｉとの間には、平行平板Ｆが配置されている。平行平板Ｆは、光学的ローパスフィルタ、ＩＲカットフィルタ、固体撮像素子のシールガラス等を想定したものである。
【０１４３】
図２９（Ａ）〜２９（Ｃ）は、実施例１３の撮像レンズ１３１０の球面収差、非点収差、及び歪曲収差を示している。図２９（Ｄ）及び２９（Ｅ）は、実施例１３の撮像レンズ１３１０のメリジオナルコマ収差を示している。
【０１４４】
以下の表４０は、参考のため、各条件式（１）〜（７）に対応する各実施例１〜１３の値をまとめたものである。
〔表４０〕
2013246217.tif 000004
【０１４５】
以上では、実施形態や実施例に即して本発明を説明したが、本発明は、上記実施形態等に限定されるものではない。
【０１４６】
近年、撮像装置を低コスト（生産費）に、かつ大量に実装する方法として、予め半田がポッティングされ、又は盛られた基板に対し、ＩＣ（integrated circuit）チップその他の電子部品と光学素子とを載置したままリフロー処理（加熱処理）し、半田を溶融させることにより電子部品と光学素子とを基板に同時実装するという技術が提案されている。このようなリフロー処理を用いて実装を行うためには、電子部品ととともに光学素子を約２００〜２６０℃に加熱する必要がある。このような高温下では、熱可塑性樹脂を用いたレンズは熱変形し又は変色して、その光学性能が低下してしまうという問題点がある。このような問題を解決するための方法のひとつとして、耐熱性能に優れたガラスモールドレンズを使用し、小型化と高温環境での光学性能とを両立する技術が提案されている。しかし、ガラスモールドレンズは、熱可塑性樹脂を用いたレンズよりも一般にコストが高いため、撮像装置の低コスト化の要求に応えられないという問題がある。そこで、撮像レンズ１０の材料にエネルギー硬化性樹脂を使用することで、ポリカーボネイト系やポリオレフィン系のような熱可塑性樹脂を用いたレンズに比べ、高温に曝されたときの光学性能の低下を小さくできる。かかるエネルギー硬化性樹脂は、リフロー処理に有効であり、かつガラスモールドレンズよりも製造しやすく安価となる。これにより、撮像レンズ１０を組み込んだ撮像装置の低コストと量産性とを両立できる。なお、エネルギー硬化性樹脂とは、熱硬化性樹脂及び紫外線硬化性樹脂のいずれをも指す。
【０１４７】
実施例１〜１３のレンズＬ１〜Ｌ５等の作製に、無機粒子を分散させたプラスチック材料を用いることもできる。これにより、撮像レンズ１０全系の温度変化時の像点位置変動をより小さく抑えることが可能となる。
【０１４８】
なお、上記実施例１〜１３において、撮像素子５１に設けた光電変換部５１ａの撮像面Ｉに入射する光束の主光線入射角については、撮像面Ｉの周辺部において必ずしも十分小さい設計になっていない。しかし、最近の技術では、撮像素子５１の色フィルターやオンチップマイクロレンズアレイの配列の見直しによって、シェーディング（輝度むら）を軽減することができるようになってきた。具体的には撮像素子５１の撮像面Ｉの画素ピッチに対し、色フィルターやオンチップマイクロレンズアレイの配列のピッチをわずかに小さく設定すれば、撮像面Ｉの周辺部にいくほど各画素に対し色フィルターやオンチップマイクロレンズアレイが撮像レンズ１０の光軸ＯＡ側へシフトする。そのため、斜入射の光束を効率的に各画素の受光部（撮像面）に導くことができる。これにより、撮像素子５１で発生するシェーディングを小さく抑えることができる。
【０１４９】
その他、図示を省略しているが、実施形態の撮像レンズ１０に対して実質的にパワーを持たないダミーレンズをさらに付加した場合も、本発明の適用範囲内である。
【０１５０】
なお、特許請求の範囲、実施例等に記載の近軸曲率半径の意味合いについては、実際のレンズ測定の場面において、レンズ中央近傍（具体的には、レンズ外径に対して１０％以内の中央領域）での形状測定値を最小自乗法でフィッティングした際の近似曲率半径を近軸曲率半径であるとみなすことができる。また、例えば２次の非球面係数を使用した場合には、非球面定義式の基準曲率半径に２次の非球面係数も勘案した曲率半径を近軸曲率半径とみなすことができる（例えば参考文献として、松居吉哉著「レンズ設計法」（共立出版株式会社）のＰ４１〜４２を参照のこと）。
【符号の説明】
【０１５１】
Ｆ…平行平板、  Ｉ…撮像面、  ＯＡ…光軸、  ＯＰ…開口部、  ＰＣ…タブレット、  Ｓ１…物体側面、  １０…撮像レンズ、  ５０…カメラモジュール（撮像装置）、  ５１…撮像素子、  ５４…鏡筒部、  １００…撮像部、  １０３…制御部、  １０５…光学系駆動部、  １０７…撮像素子駆動部、  １０８…画像メモリー、  ３００…携帯端末、  ３０１…制御部、  ３２０…表示操作部、  ３４０…無線通信部
【図１】
2013246217.tif 000005
【図２】
2013246217.tif 000006
【図３】
2013246217.tif 000007
【図４】
2013246217.tif 000008
【図５】
2013246217.tif 000009
【図６】
2013246217.tif 000010
【図７】
2013246217.tif 000011
【図８】
2013246217.tif 000012
【図９】
2013246217.tif 000013
【図１０】
2013246217.tif 000014
【図１１】
2013246217.tif 000015
【図１２】
2013246217.tif 000016
【図１３】
2013246217.tif 000017
【図１４】
2013246217.tif 000018
【図１５】
2013246217.tif 000019
【図１６】
2013246217.tif 000020
【図１７】
2013246217.tif 000021
【図１８】
2013246217.tif 000022
【図１９】
2013246217.tif 000023
【図２０】
2013246217.tif 000024
【図２１】
2013246217.tif 000025
【図２２】
2013246217.tif 000026
【図２３】
2013246217.tif 000027
【図２４】
2013246217.tif 000028
【図２５】
2013246217.tif 000029
【図２６】
2013246217.tif 000030
【図２７】
2013246217.tif 000031
【図２８】
2013246217.tif 000032
【図２９】
2013246217.tif 000033